(57)【要約】【課題】コイルスプリング１０のみを選択的に使用することによって好みの寝心地を得ることのできるマットレスおよびその製造方法を提供する。【解決手段】寝心地に対応した複数のコイルスプリング１０をあらかじめ用意し、その中から選択的に使用することによって、所望の寝心地を持つマットレス１およびその製造方法を得た。その際、コイルスプリング１０以外の構成、例えば、緩衝材、コイルスプリング１０の配置等を調整する必要がない。【選択図】図１
2009285412.tif 000002
【特許請求の範囲】
【請求項１】
コイルスプリングを上下に伸縮する状態で多数水平方向に並設してスプリングユニットを構成し、該スプリングユニット全体を外装体により被覆してなるマットレスにおいて、
前記コイルスプリングは、それぞれ線径が異なるものが複数種類用意されており、
前記スプリングユニットは、前記複数種類用意されたコイルスプリングの中から適宜コイルスプリングを選択し並設して構成されており、所望の反発力に調整されたことを特徴とするマットレス。
【請求項２】
コイルスプリングを上下に伸縮する状態で多数水平方向に並設してスプリングユニットを構成し、該スプリングユニット全体を外装体により被覆してなるマットレスの製造方法において、
前記コイルスプリングは、それぞれ線径が異なるものが複数種類用意されており、
前記スプリングユニットを、前記複数種類用意されたコイルスプリングの中から適宜コイルスプリングを選択し並設して構成し、所望の反発力に調整したことを特徴とするマットレスの製造方法。
【請求項３】
コイルスプリングを上下に伸縮する状態で多数水平方向に並設してスプリングユニットを構成し、該スプリングユニット全体を外装体により被覆し、脚で支持される基台上に固定してなる脚付マットレスにおいて、
前記コイルスプリングは、それぞれ線径が異なるものが複数種類用意されており、
前記スプリングユニットは、前記複数種類用意されたコイルスプリングの中から適宜コイルスプリングを選択し並設して構成されており、所望の反発力に調整されたことを特徴とする脚付マットレス。
【請求項４】
コイルスプリングを上下に伸縮する状態で多数水平方向に並設してスプリングユニットを構成し、該スプリングユニット全体を外装体により被覆し、脚で支持される基台上に固定してなる脚付マットレスの製造方法において、
前記コイルスプリングは、それぞれ線径が異なるものが複数種類用意されており、
前記スプリングユニットを、前記複数種類用意されたコイルスプリングの中から適宜コイルスプリングを選択し並設して構成し、所望の反発力に調整したことを特徴とする脚付マットレスの製造方法。
【発明の詳細な説明】
【技術分野】
【０００１】
本発明は、コイルスプリングを多数連結してスプリングユニットを構成し、該スプリングユニット全体を外装体により被覆してなるマットレスおよびその製造方法に関する。ここでマットレスには、そのものが単体として商品を成すものの他、脚で支持される基台上に固定してなる脚付マットレスも含むものとする。
【背景技術】
【０００２】
従来、この種のマットレスとしては、特許文献１に示すようなものが知られている。すなわち、コイルスプリングを多数連結固定してスプリングユニットを構成し、外装体（側生地）によって被覆し、基台に固定したものである。
【０００３】
【特許文献１】特開２００４−１６００９２号公報
【発明の開示】
【発明が解決しようとする課題】
【０００４】
しかしながら、前述したような従来の技術では、利用者が好みの寝心地を得るベッドを製造するためには、スプリングユニットの構造や配列の変更をしたり、スプリングユニットの上層に緩衝材を入れるなど、マットレスの構造自体を変更しなくてはならず、体格や体重に合わせた最適な選択が容易でないという問題があった。  
さらに、インテリア性を重視する利用者はベッドの外観（特にマットレスの厚さ）が変わることを好まず、寝心地を犠牲する場合もあった。
【０００５】
また、脚付マットレスにおいては、一般に直接マットレスを基台の上に設置するため製造工程を簡略化できるが、基台に固有のマットレスが使用されるため、適宜好みに応じて寝心地を変更するのがより困難で選択が限られるという問題点もあった。
【０００６】
本発明は、このような従来の課題をコイルスプリングの線径のみを変更することによって解決するものであり、マットレスの外観や構造は変更することなく、利用者に体格や体重、好みに応じて所望の寝心地を選択可能なマットレスおよびその製造方法を提供することを目的とする。
【課題を解決するための手段】
【０００７】
前述した目的を達成するための本発明の要旨とするところは、以下の各項の発明に存する。  
［１］コイルスプリング（１０）を上下に伸縮する状態で多数水平方向に並設してスプリングユニット（１２）を構成し、該スプリングユニット（１２）全体を外装体（１５）により被覆してなるマットレス（１）において、
前記コイルスプリング（１０）は、それぞれ線径が異なるものが複数種類用意されており、
前記スプリングユニット（１２）は、前記複数種類用意されたコイルスプリング（１０）の中から適宜コイルスプリング（１０）を選択し並設して構成されており、所望の反発力に調整されたことを特徴とするマットレス（１）。
【０００８】
［２］コイルスプリング（１０）を上下に伸縮する状態で多数水平方向に並設してスプリングユニット（１２）を構成し、該スプリングユニット（１２）全体を外装体（１５）により被覆してなるマットレス（１）の製造方法において、
前記コイルスプリング（１０）は、それぞれ線径が異なるものが複数種類用意されており、
前記スプリングユニット（１２）を、前記複数種類用意されたコイルスプリング（１０）の中から適宜コイルスプリング（１０）を選択し並設して構成し、所望の反発力に調整したことを特徴とするマットレス（１）の製造方法。
【０００９】
［３］コイルスプリング（１０）を上下に伸縮する状態で多数水平方向に並設してスプリングユニット（１２）を構成し、該スプリングユニット（１２）全体を外装体（１５）により被覆し、脚（２５）で支持される基台（２０）上に固定してなる脚付マットレス（１）において、
前記コイルスプリング（１０）は、それぞれ線径が異なるものが複数種類用意されており、
前記スプリングユニット（１２）は、前記複数種類用意されたコイルスプリング（１０）の中から適宜コイルスプリング（１０）を選択し並設して構成されており、所望の反発力に調整されたことを特徴とする脚付マットレス（１）。
【００１０】
［４］コイルスプリング（１０）を上下に伸縮する状態で多数水平方向に並設してスプリングユニット（１２）を構成し、該スプリングユニット（１２）全体を外装体（１５）により被覆し、脚（２５）で支持される基台（２０）上に固定してなる脚付マットレス（１）の製造方法において、
前記コイルスプリングは、それぞれ線径が異なるものが複数種類用意されており、
前記スプリングユニット（１２）を、前記複数種類用意されたコイルスプリングの中から適宜コイルスプリング（１０）を選択し並設して構成し、所望の反発力に調整したことを特徴とする脚付マットレス（１）の製造方法。
【００１１】
次に、前述した解決手段に基づく作用を説明する。
前記［１］に記載のマットレス（１）によれば、該マットレス（１）内部のコイルスプリング（１０）は複数種類あらかじめ用意されたコイルスプリング（１０）の中から適宜利用者の好みの寝心地に応じた最適のコイルスプリング（１０）を選択し並設して構成されており、コイルスプリング（１０）以外の構成を変更せずに所望の反発力に調整し利用者の好みの寝心地を得ることができる。
【００１２】
前記［２］に記載のマットレス（１）の製造方法によれば、該マットレス（１）内部のコイルスプリング（１０）は複数種類あらかじめ用意されたコイルスプリング（１０）の中から適宜利用者の好みの寝心地に応じた最適のコイルスプリング（１０）を選択し並設して構成し、コイルスプリング（１０）以外の構成を変更せずに所望の反発力に調整し、利用者の好みの寝心地に調整されたマットレス（１）を製造することができる。
【００１３】
前記［３］に記載の脚付マットレス（１）によれば、該マットレス（１）内部のコイルスプリング（１０）は複数種類あらかじめ用意されたコイルスプリング（１０）の中から適宜利用者の好みに寝心地に応じて最適のコイルスプリング（１０）を選択し並設して構成されており、コイルスプリング（１０）以外の構成を変更せずに所望の反発力に調整し利用者の好みの寝心地を得ることができる。
【００１４】
前記［４］に記載の脚付マットレス（１）の製造方法によれば、該マットレス（１）内部のコイルスプリング（１０）は複数種類あらかじめ用意されたコイルスプリング（１０）の中から適宜利用者の好みの寝心地に応じた最適のコイルスプリング（１０）を選択し並設して構成し、コイルスプリング（１０）以外の構成を変更せずに所望の反発力に調整し、利用者の好みの寝心地に調整された脚付マットレス（１）を製造することができる。
【発明の効果】
【００１５】
本発明のうち請求項１，２に係るマットレスおよびその製造方法によれば、コイルスプリング以外の構成を変更せずに所望の反発力に調整し利用者の好みの寝心地を得ることができ、製造工程も簡略化することができる。
【００１６】
また、請求項３，４に係る脚付マットレスおよびその製造方法によれば、コイルスプリング以外の構成を変更せずに所望の反発力に調整し利用者の好みの寝心地を得ることができ、製造工程も簡略化することができる他、デザイン等を犠牲にすることなくより多くの選択肢を使用者に提供することができる。
【発明を実施するための最良の形態】
【００１７】
以下、図面に基づき本発明を代表する一の実施の形態を説明する。  
図１〜図５は本発明の一実施の形態を示している。  
本願実施の形態に係る脚付マットレス１は、図１に示すように、基台２０の上面にスプリングユニット１１が載置し側生地（外装体）１５によってスプリングユニット１１の上面および側面を被覆し、側生地１５の側縁を基台２０に固定したものである。以下、脚付マットレス１について説明するが、基台２０を除いたマットレスそのものでも良いことは言うまでもない。
【００１８】
側生地１５は、綿等の肌触りの良いものを使用する。側生地１５の基台２０下面への固定の方法は綿ファスナ等取り外し可能なもので構成してもよい。  
基台２０は、長方形の基板の下部の適当な位置に脚２５をねじ等の通常の固着手段によって取り付けたものである。脚２５は、木材、スチール、クロームなどの材質のものを使用する。
【００１９】
スプリングユニット１１は、コイルスプリング１０を上下に伸縮する状態で水平方向に所定の間隔に配置され、その上下端面がヘリカル線１４もしくはスプリングユニットの形状を決める枠線５に連結される。さらに、上面、下面全体を緩衝材（フェルト１２並びにウレタンフォーム１３）で被覆し、不織布等によって構成する内装シート１７で全面を被覆して成る。ウレタンフォーム１３は、低反発仕様のものを使用してもよい。
【００２０】
また、図３に示すように、スプリングユニット１１のコイルは、ポケットコイル１６を使用してもよい。ポケットコイル１６はコイルスプリング１０を円筒状の袋に収め上下に伸縮する方向で水平方向に密に配置したもので、隣り合うスプリング同士がヘリカル線１４等によって接続されないので、それぞれのバネが独立して伸縮し、使用者の身体の形状により密着した寝心地を提供するものである。
【００２１】
ポケットコイル１６の配置は、図５（ａ）に示すように並行に配列してもよいし、図５（ｂ）に示すように交互に配列してもよい。特に交互に配置した場合、より密に身体の形状にフィットするのでさらに寝心地が高まる効果がある。
【００２２】
次に作用を説明する。
図２には、本願実施の形態に係るボンネルコイルタイプの脚付マットレス１の線径を太いものに変えた脚付マットレスを示した。  
また、図４には、本願実施の形態に係るポケットコイルタイプの脚付マットレス１Ａの線径を太いものに変えた脚付マットレスを示した。
【００２３】
本願実施の形態に係る脚付マットレス１によれば、複数種類用意されたコイルスプリングの中から適宜コイルスプリング１０を選択して製造する。これにより、その他の構成の設計を変更することなく、製造工程を簡略化して様々なバリエーションの寝心地のマットレス及び脚付マットレス１を提供することができる。
【００２４】
すなわち、製造工程において、コイルスプリング１０を、複数種類用意されたものの中から選び出し使用する。ここでコイルスプリング１０は、例えば、図１中に示した線径の細いものと、図２中に示した線径の太いものとがある。もちろん、これら２種類に限られるものではなく、３あるいは４以上の互いに線径の異なるコイルスプリング１０を用意してもよい。
【００２５】
コイルスプリング１０の線径が太いほど、その圧縮荷重が増大するので、脚付マットレス１の表面における感触が全体的に硬くなる。逆に、コイルスプリング１０の線径が細いほど、その圧縮荷重が減少するので、脚付マットレス１の表面における感触が全体的に柔らかくなる。
【００２６】
マットレス１には通常ボンネルコイルタイプのものとポケットコイルタイプのものがあるが、ボンネルコイルタイプの場合には、製造時には、コイルスプリング１０を枠線５乃至ヘリカル線１４に接続し、配置する段階において、利用者の好みに対応した所望の反発力のコイルスプリング１０を配置することによって、利用者の好みの寝心地を得ることが可能となるマットレスを製造することができる。
【００２７】
また、ポケットコイルタイプの脚付マットレス１Ａにおいては、袋に入れた所定の反発力を持つコイルスプリング１０を枠線５の中に配置することによって、利用者の好みの寝心地を得ることのできるマットレスを製造することができる。
【００２８】
選択的にコイルスプリング１０を選び出す以外の構成を、まったく変更することなく、利用者の好みの寝心地を得ることのできるマットレスを簡易に製造することができる。その際、緩衝材を入れることや、コイルスプリング１０の配置を変更することなどを要しない。
【００２９】
以上、本発明の実施の形態を図面によって説明してきたが、具体的な構成は前述した実施の形態に限られるものではなく、本発明の要旨を逸脱しない範囲における変更や追加があっても本発明に含まれる。例えば、前記実施の形態においては、緩衝材は不織布（フェルト）１２とウレタンフォーム１３によって為したが、不織布１２の代わりとして又は追加してパーム材、ココファイバー等を用いてもよい。
【００３０】
また、前記実施の形態では、ボンネルコイルタイプにおいて、コイルスプリングの配置は特に記載しなかったが、身体の配置に合わせてスプリングの配置に疎密の部分を作ってもよい。沈み込みやすい中央付近のコイルスプリングを密に又は反発力の大きなものを使用するなどしてもよい。
【００３１】
さらに、緩衝材、外装体１５に消臭効果、抗菌効果、防ダニ効果を持つものを使用してもよい。コイルスプリングの種類は、特に記載しなかったが、通常の円筒型の等長コイルスプリングのほか、プログレッシブスプリング、鼓型コイルスプリング、たる型コイルスプリングを用いてもよい。
【図面の簡単な説明】
【００３２】
【図１】本発明の一実施の形態に係るボンネルコイルタイプの脚付マットレスを示す断面図である。
【図２】本発明の一実施の形態に係るボンネルコイルタイプのコイルスプリングの線径を変えた脚付マットレスを示す断面図である。
【図３】本発明の一実施の形態に係るポケットコイルタイプの脚付マットレスを示す断面図である。
【図４】本発明の一実施の形態に係るポケットコイルタイプのコイルスプリングの線径を変えた脚付マットレスを示す断面図である。
【図５】本発明の一実施の形態に係るポケットコイルタイプのコイルスプリングの配置を示す参考平面図である。
【符号の説明】
【００３３】
１…マットレス
１Ａ…マットレス
５…枠線
１０…コイルスプリング
１１…スプリングユニット
１２…不織布（フェルト）
１３…ウレタンフォーム
１４…ヘリカル線
１５…側生地
１６…ポケットコイル
１７…内装シート
２０…基台
２５…脚
【図１】
2009285412.tif 000003
【図２】
2009285412.tif 000004
【図３】
2009285412.tif 000005
【図４】
2009285412.tif 000006
【図５】
2009285412.tif 000007